(57)【要約】【課題】施工仕上がり外観良く接続され、接着強度も確保することができる軒樋部品を提供する。【解決手段】軒樋Ａの端部が挿入嵌合される接続溝部１を有し、この接続溝部１は外側片部２と内側片部３とで断面略コ字型に形成され、同接続溝部１に挿入嵌合された軒樋Ａの端部が接着剤４で接続固定される軒樋部品において、内側片部３を外側片部２よりも軒樋長手方向に長く延出させて、この延出部分の外側面に同内側片部３の先端側へ開放された接着剤溜りとなる凹段部５を形成した。また、凹段部５の基端側縁を外側片部２の先端位置に略合致させて、同基端側縁を接続溝部１の奥側程溝巾が狭くなるように傾斜面部６として形成した。【選択図】図１
2008095425.tif 000002
【特許請求の範囲】
【請求項１】
軒樋の端部が挿入嵌合される接続溝部を有し、この接続溝部は外側片部と内側片部とで断面略コ字型に形成され、同接続溝部に挿入嵌合された軒樋の端部が接着剤で接続固定される軒樋部品であり、内側片部を外側片部よりも軒樋長手方向に長く延出させて、この延出部分の外側面に同内側片部の先端側へ開放された接着剤溜りとなる凹段部を形成してなる軒樋部品。
【請求項２】
凹段部の基端側縁を外側片部の先端位置に略合致させて、同基端側縁を接続溝部の奥側程溝巾が狭くなるように傾斜面部として形成したことを特徴とする請求項１記載の軒樋部品。
【発明の詳細な説明】
【技術分野】
【０００１】
本願発明は、軒樋の端部が挿入嵌合される接続溝部を有し、この接続溝部は外側片部と内側片部とで断面略コ字型に形成され、同接続溝部に挿入嵌合された軒樋の端部が接着剤で接続固定される軒樋部品であって、例えば、軒樋止まり、軒樋継手等となる軒樋部品に関するものである。
【背景技術】
【０００２】
従来から、図３に示すように、軒樋Ａの端部が挿入嵌合される接続溝部１を有し、この接続溝部１は外側片部２と内側片部３とで断面略コ字型に形成され、同接続溝部１に挿入嵌合された軒樋Ａの端部が接着剤４で接続固定される軒樋部品は知られている（特許文献１：実開平６−４７４４６号公報）。この軒樋部品は軒樋継手であって軒樋Ａの端部同士を相互に接続するものであるため、その両側で対称形状となるように接続溝部１が形成されている。
【０００３】
そして、この軒樋継手にあっては、接続溝部１の内側片部３の内面が接続溝部１入口方向に向かって外側片部２から離れる方向に傾斜して、同接続溝部１の溝巾間隙が入口に近い程広くされている。したがって、この場合、接着剤４を軒樋Ａの端部で押し込みながら同端部を接続溝部１に挿入嵌合させると、同接続溝部１の溝巾間隙が入口に近い程広くされているから、この広くなっている部分に接着剤４は滞留して入口より外に出ることがないとされている。
【特許文献１】実開平６−４７４４６号公報
【発明の開示】
【発明が解決しようとする課題】
【０００４】
しかしながら、上記従来例である軒樋部品（軒樋継手）にあっては、外側片部２が内側片部３よりも軒樋長手方向に長く延出されているため、この延出部分が軒樋Ａの外側に大きく露出し外観的に目立って好ましくないものであった。そこで、外側片部２の軒樋長手方向への延出寸法を短くすると、接着剤４が軒樋Ａの外側に溢出し易くなって、施工仕上がり外観に支障を来たすこととなる。また、溢出した接着剤４を拭取る作業は面倒で接着剤４も無駄になり、接着剤４を拭取ることで接着強度の低下にもつながる。
【０００５】
本願発明は、上記背景技術に鑑みてなされたもので、その課題は、軒樋の外側への露出が少なくて目立たず、軒樋の外側への接着剤の溢出も防止されて施工仕上がり外観良く接続され、しかも、接着剤が十分に活用されて接着強度を確保することができる軒樋部品を提供することである。
【課題を解決するための手段】
【０００６】
上記課題を解決するために、本願請求項１記載の発明は、軒樋の端部が挿入嵌合される接続溝部を有し、この接続溝部は外側片部と内側片部とで断面略コ字型に形成され、同接続溝部に挿入嵌合された軒樋の端部が接着剤で接続固定される軒樋部品であり、内側片部を外側片部よりも軒樋長手方向に長く延出させて、この延出部分の外側面に同内側片部の先端側へ開放された接着剤溜りとなる凹段部を形成している。
【０００７】
また、本願請求項２記載の発明は、請求項１記載の軒樋部品において、凹段部の基端側縁を外側片部の先端位置に略合致させて、同基端側縁を接続溝部の奥側程溝巾が狭くなるように傾斜面部として形成したことを特徴としている。
【発明の効果】
【０００８】
本願請求項１記載の発明である軒樋部品においては、接続溝部の内側片部を外側片部よりも軒樋長手方向に長く延出させており、外側片部が軒樋長手方向に短くなって軒樋の外側に大きく露出せず目立たないため、外観的に好ましいものとなる。しかも、内側片部の外側片部よりも延出された部分の外側面に、同内側片部の先端側へ開放された接着剤溜りとなる凹段部を形成しているため、接続溝部に軒樋の端部が挿入嵌合された際に、接続溝部内で余剰となる接着剤は凹段部に充填され、その開放された先端側から軒樋の内側へと溢出される。この場合、接着剤が軒樋の外側へ溢出することは防止され、施工仕上がり外観に支障を来たすことがなく、凹段部に充填されると共にそこから溢出した接着剤は施工仕上がり外観に影響を及ぼさないので、この十分な量の接着剤を活用して接着強度を確保することができる。
【０００９】
また、本願請求項２記載の発明である軒樋部品においては、特に、凹段部の基端側縁を外側片部の先端位置に略合致させているため、接続溝部に挿入嵌合される軒樋の端部が内側片部と外側片部とで挟持される領域及び接着剤が充填される凹段部の領域の両方を最大限に確保することができ、嵌合及び接着による接続強度は向上される。しかも、凹段部の基端側縁を接続溝部の奥側程溝巾が狭くなるように傾斜面部として形成しているため、この傾斜面部でガイドされて、軒樋の端部を接続溝部へとスムーズに挿入嵌合することができ、接着剤も接続溝部から凹段部へと移行し易くなる。
【発明を実施するための最良の形態】
【００１０】
図１、２は、本願請求項１、２に対応した一実施形態を示している。この実施形態の軒樋部品は、軒樋Ａの端部が挿入嵌合される接続溝部１を有し、この接続溝部１は外側片部２と内側片部３とで断面略コ字型に形成され、同接続溝部１に挿入嵌合された軒樋Ａの端部が接着剤４で接続固定されるものである。この場合に、内側片部３を外側片部２よりも軒樋長手方向に長く延出させて、この延出部分の外側面に同内側片部３の先端側へ開放された接着剤溜りとなる凹段部５を形成している。また、凹段部５の基端側縁を外側片部２の先端位置に略合致させて、同基端側縁を接続溝部１の奥側程溝巾が狭くなるように傾斜面部６として形成してもいる。
【００１１】
以下、この実施形態の軒樋部品をより具体的詳細に説明する。この実施形態の軒樋部品は軒樋止まりであり、図１（ａ）に示すように、軒樋Ａの端部に嵌合され接着固定されて同軒樋Ａ内の雨水を止水するものである。軒樋Ａは、円弧状の樋本体Ａ１と、その両上縁部分に形成された耳部Ａ２とを有しており、合成樹脂、金属、或いは、これ等を複合した材料でなる。なお、この場合、軒樋Ａは円弧型樋であるが角型樋であってもよく、軒樋止まりである軒樋部品は同軒樋Ａに対応する種々の形状に形成される。
【００１２】
軒樋止まりである軒樋部品（以下、単に軒樋止まりと言う）は、略半円板状の止まり本体７の外縁に沿って外側片部２が突設され、この外側片部２の内側に接続溝部１となる間隙をあけて同止まり本体７から内側片部３が突設されたものであり、合成樹脂にて一体に形成されたものである。また、外側片部２の両上端部分には連続して半円弧状の耳保持部８が止まり本体７から突設されており、前記軒樋Ａの両耳部Ａ２は同両耳保持部８に係合保持される。
【００１３】
図１（ｂ）に示すように、軒樋止まりの接続溝部１は、止まり本体７の外縁部分において同止まり本体７に直交する方向で横向きに開口するもので、外側片部２と内側片部３とで断面略コ字型に形成されている。そして、内側片部３は外側片部２よりも軒樋長手方向に長く延出されており、この延出部分の外側面に同内側片部３の先端側へ開放された接着剤溜りとなる凹段部５が形成されている。すなわち、外側片部２の先端２ａよりも突出した内側片部３の外周面部分略全体（Ｌ寸法範囲）が凹段部５として形成され、この凹段部５は同内側片部３の先端３ａにおいて先方へ開放された凹段形状となっている。
【００１４】
また、接続溝部１の溝巾寸法は、軒樋Ａの端部を挿入嵌合できるできる程度に、この軒樋Ａの端部の厚み寸法よりも若干大きく形成されている。そして、凹段部５の基端側縁が外側片部２の先端位置に略合致され、同基端側縁は接続溝部１の奥側程溝巾が狭くなるように傾斜面部６として形成されている。この場合、傾斜面部６は接続溝部１内に位置するものであり、同傾斜面部６の先側縁６ａが外側片部２の先端位置に一致され、基側縁６ｂは同外側片部２の先端位置よりも止まり本体７の側へ奥まった位置に存在している。ここで、凹段部５には、その深さよりも若干厚く接着剤４が塗布される。
【００１５】
この実施形態の軒樋止まりを接続施工するに際しては、予め、前記図１（ｂ）に示すように、凹段部５に接着剤４を塗布するものである。そして、図２（ａ）に示すように、塗布された接着剤４を押え付けながら、軒樋Ａの端部を接続溝部１に挿入嵌合させる。その際、図２（ｂ）に示すように、適度に少量の接着剤４が接続溝部１の内部へと押し込まれると共に、同接続溝部１内で余剰となる接着剤４は傾斜面部６から凹段部５へと押し出されるように移行し、この凹段部５内に充填された後、更なる余剰分が内側片部３の先端３ａから軒樋Ａの内側面上に押し出されて肉盛りされるように溢出される。
【００１６】
この場合、接続溝部１の内部において、軒樋Ａの端部の内外両面が適度に少量の接着剤４で接着固定され、凹段部５及びここから溢出された十分量の接着剤４によって補強的に接着固定される。なお、接着剤４は適度な粘度を有するアクリル系接着剤で、自然硬化して接着作用を発揮するものである。
【００１７】
したがって、この実施形態の軒樋止まりにおいては、接続溝部１の内側片部３を外側片部２よりも軒樋長手方向に長く延出させているため、外側片部２は軒樋長手方向に短くなって軒樋Ａの外側に大きく露出しないで目立たず、下方から見られる施工仕上がり外観として好ましいものとなる。
【００１８】
しかも、内側片部３の外側片部２よりも延出された部分の外側面に、同内側片部３の先端側へ開放された接着剤溜りとなる凹段部５を形成しているため、接続溝部１に軒樋Ａの端部が挿入嵌合された際に、接続溝部１の内部では余剰となる接着剤４が凹段部５に充填され、その開放された先端側から軒樋Ａの内側へと溢出される。
【００１９】
この場合、接着剤４が軒樋Ａの外側へ溢出することは防止され、施工仕上がり外観に支障を来たすことがなく、凹段部５に充填されると共にそこから溢出した接着剤４は施工仕上がり外観に影響を及ぼさないので、この十分な量の接着剤４を拭取ることなく活用して接着強度を確保することができる。
【００２０】
また、この実施形態の軒樋止まりにおいては、凹段部５の基端側縁を外側片部２の先端位置に略合致させているため、接続溝部１に挿入嵌合される軒樋Ａの端部が内側片部３と外側片部２とで挟持される領域及び接着剤４が充填される凹段部５の領域（Ｌ寸法範囲）の両方を最大限に確保することができ、嵌合及び接着による接続強度は向上される。
【００２１】
しかも、凹段部５の基端側縁を接続溝部１の奥側程溝巾が狭くなるように傾斜面部６として形成しているため、この傾斜面部６でガイドされて、軒樋Ａの端部を接続溝部１へとスムーズに挿入嵌合することができ、接着剤４も接続溝部１から凹段部５へと移行し易くなり、接着強度と共に施工性が向上される。
【００２２】
なお、本願発明の軒樋部品は、上記実施形態のような軒樋止まりだけでなく、軒樋継手や軒樋曲がり等のように軒樋の端部が嵌合接着されるものであれば、どのような種類の軒樋部品であってもよいものである。また、本願発明の軒樋部品にあっては、内側片部が軒樋の内側面の周方向全周にわたって設けられることなく、部分的、間欠的に配設されるものであってもよいものである。
【図面の簡単な説明】
【００２３】
【図１】本願発明の一実施形態である軒樋部品と軒樋との接続状態を示しており、（ａ）は斜め下方から見た斜視図、（ｂ）は要部断面図である。
【図２】同軒樋部品と軒樋との接続状態における（ａ）、（ｂ）各々接続過程を示す要部断面図である。
【図３】従来例である軒樋部品（軒樋継手）と軒樋との接続状態を示す要部断面図である。
【符号の説明】
【００２４】
Ａ  軒樋
１  接続溝部
２  外側片部
３  内側片部
４  接着剤
５  凹段部
６  傾斜面部
【図１】
2008095425.tif 000003
【図２】
2008095425.tif 000004
【図３】
2008095425.tif 000005